(57)【要約】【課題】大開口部を通じた暦日の表示をもたらすための有利な解決法を提案すること。【解決手段】ラージデイト機構は、重ね合わせられた３つの指示ディスク（１、２、３）を有する。下側ディスク（３）は、１１個の数表示（８）を有し、上側ディスク（１）および中間ディスク（２）はそれぞれ１０個の数表示（４、６）および窓部（５、７）を有する。ディスクの各々は、キャノン・ピニオン（９、１０、１１）とともにスター・ホイール（１２、１３、１４）に一体的である。キャノン・ピニオン・スター・ホイールは、１日当たり１ステップ進む暦日ホイール（１６）に一体的な３つの歯状領域（１９、１８、１７）を有する制御ムーブメント（１５）により選択式に駆動される。機構は、スター・ホイールが静止状態であるべき場合にそれらを確実にブロックする安全デバイスにより補完される。【選択図】図２
2010044072.tif 000002
【特許請求の範囲】
【請求項１】
順々に重ね合わせられた指示器（１、２、３）を有しており、前記指示器には、月の日の数表示（４、６、８）の一部が添付され、前記数表示は時計のダイアル（２１）の形成部分に開口された大開口部（２０）を通じて順に現れる、時計用のラージデイト暦日機構であって、
前記指示器は、上側ディスク（１）、中間ディスク（２）および下側ディスク（３）を有し、前記上側ディスク（１）は１１領域に分割され、そのうちの１０領域が１から１０の数表示（４）により占められる一方、１領域が窓部（５）により占められ、前記窓部（５）を通じて、前記中間ディスク（２）の数表示（６）が目視され、前記中間ディスク（２）は１１領域に分割され、そのうちの１０領域が１１から２０の数表示（６）により占められる一方、１領域が窓部（７）により占められ、前記窓部（７）を通じて、前記下側ディスク（３）の数表示（８）が目視され、前記下側ディスク（３）は１１領域に分割され、全ての領域が２１から３１までの数表示（８）により占められること、
前記ディスク（１、２、３）の各々が、スター・ホイール（１２、１３、１４）に対して一体的なキャノン・ピニオン（９、１０、１１）により駆動され、これらのキャノン・ピニオンが順々に自在に組み入れられること、および、
１日当たりに１ステップ進む暦日ホイール（１６）が取り付けられた制御ムーブメント（１５）が、前記上側ディスク（１）を他の２つのディスク（２、３）が動かないままで駆動すべく、前記上側ディスク（１）および下側ディスク（３）が動かないままで、前記上側ディスク（１）の全ての数表示（４）が一巡したときに前記中間ディスク（２）を駆動すべく、また、前記上側ディスク（１）および中間ディスク（２）が動かないままで、前記中間ディスク（２）の全ての数表示（６）が一巡したときに前記下側ディスク（３）を駆動すべく、前記ディスク（１、２、３）用に設けられた前記スター・ホイール（１２、１３、１４）と選択式に噛合するように配置されることを特徴とする暦日機構。
【請求項２】
前記制御ムーブメント（１５）は、上側歯状領域（１７）、中間歯状領域（１８）および下側歯状領域（１９）を有し、それらの歯状領域（１７、１８、１９）は、前記暦日ホイール（１６）上で同軸上に取り付けられ、互いに同軸上に配置され、また、互いに対して角度に関しオフセットされ、また、前記下側ディスク（３）、中間ディスク（２）および上側ディスク（１）用に設けられる前記スター・ホイール（１４、１３、１２）と選択式にまたそれぞれ噛合すべく配置される、ことを特徴とする請求項１に記載の暦日機構。
【請求項３】
前記上側歯状領域（１７）、中間歯状領域（１８）および下側歯状領域（１９）が各々１１個の歯を有し、前記下側領域（１９）の歯には１から１１まで、前記中間領域（１８）の歯には１１から２１まで、前記上側領域（１７）の歯には２１から３１まで、番号が付され、また、垂直投影では、それらの領域が３１個の歯の車（２２）を形成しており、前記下側領域（１９）の歯１１は、前記上側ディスク（１）の窓部５と前記中間ディスク（２）上に配置された暦日の数表示１１とが前記大開口部（２０）にて現れるように、前記中間領域（１８）の歯１１に重なり、前記中間領域（１８）の歯２１は、前記中間ディスク（２）の窓部７と前記中間ディスク（２）上に配置された暦日の数表示２１とが前記大開口部（２０）にて現れるように、前記上側領域（１７）の歯２１に重なり、前記上側領域（１７）の歯３１は、前記上側ディスク（１）上に配置された暦日の数表示１が前記大開口部（２０）にて現れるように、前記下側領域（１９）の歯１に隣接する、ことを特徴とする請求項２に記載の暦日機構。
【請求項４】
前記制御ムーブメント（１５）は、ブロック・ムーブメント（４０）を駆動し、前記ブロックムーブメント（４０）は、それらが静止状態であるべき場合に、前記ディスク（１、２、３）のいかなる偶発的な前進をも防止すべく配置される、ことを特徴とする請求項１に記載の暦日機構。
【請求項５】
前記制御ムーブメント（１５）は、ギヤ（４８）と係合させられる第１の車（４７）を有し、前記ギヤ（４８）は、同じく、前記ブロック・ムーブメント（４０）に対して一体的な第２の車（４９）と噛合し、ギヤ比は、前記ブロック・ムーブメント（４０）が、前記制御ムーブメント（１５）と同様に１日当たりに１ステップ進むように選択される、ことを特徴とする請求項４に記載の暦日機構。
【請求項６】
前記ブロック・ムーブメント（４０）は、上側円筒領域（４１）、中間円筒領域（４２）および下側円筒領域（４３）を有し、それらの円筒領域は、互いに同軸上に配置され、また、互いに対して角度に関しオフセットされ、前記円筒領域（４１、４２および４３）の側面部（４４、４５および４６）が、前記下側ディスク（３）、中間ディスク（２）および上側ディスク（１）用にそれぞれ設けられた前記スター・ホイール（１４、１３および１２）の歯の先端部により作られる軌道内に選択式にそれぞれ侵入するように構成される、ことを特徴とする請求項４に記載の暦日機構。
【発明の詳細な説明】
【技術分野】
【０００１】
本発明は、順々に重ね合わせられた指示器を有する時計用のラージデイト（大型日付）の暦日機構に関する。指示器には、月の日の数表示の一部が添付される。前記数表示は、時計のダイアル形成部分に開口された大開口部を通じて順に現れる。
【背景技術】
【０００２】
かかる機構は、例えば、スイス特許第６６０９４１号にて既に提案されている。この文献では、各々暦日の数表示の一部を有する、順々に重ね合わせられた２つのディスプレイ・リングが提供されている。上側リングは窓部を有し、この窓部が時計のダイアルに開口された開口部により提供される表示位置にある場合に、その窓部を通じて、下側リングの数表示が目視され得る。システムが、他方のリングが動かないままで、リングの１つを駆動するための選択的な駆動手段を用意する。付加的な駆動手段は、そのリングが、他のリングのその全ての数表示が一巡しているときには、長時間動かない状態へ移動させられることを保証する。その結果、他のリングは、隣接する駆動手段が２つのリングを前進させるまで、長時間動かないようにさせられる。
【先行技術文献】
【特許文献】
【０００３】
【特許文献１】スイス特許第６６０９４１号
【発明の概要】
【発明が解決しようとする課題】
【０００４】
本発明は、大開口部を通じた暦日の表示をもたらすための他の有利な解決法を提案する。この新しい解決法は、非常にシンプルな構成要素の組立品を必要とし、大規模なディスプレイを可能とする。日の数表示は、たった２つの代わりに、３つの指示器にわたって分配される。
【課題を解決するための手段】
【０００５】
そのため、本明細書の１番目の段落における記述に適合するのに加えて、本発明による実施形態は、指示器が上側ディスク、中間ディスクおよび下側ディスクを有し、上側ディスクは１１領域に分割され、そのうちの１０領域が１から１０の数表示により占められる一方、１領域が窓部により占められ、その窓部を通じて、中間ディスクの数表示が目視され、中間ディスクは１１領域に分割され、そのうちの１０領域が１１から２０の数表示により占められる一方、１領域が窓部により占められ、その窓部を通じて、下側ディスクの数表示が目視され、下側ディスクは、１１領域に分割され、それらの全ての領域が２１から３１までの数表示により占められる、という点で、ディスクの各々が、スター・ホイールに対して一体的なキャノン・ピニオンにより駆動され、これらのキャノン・ピニオンが順々に自在に組み入れられる、という点で、また、１日当たりに１ステップ進む暦日ホイールが取り付けられた制御ムーブメントが、上側ディスクを他の２つのディスクが動かない状態で駆動すべく、上側および下側ディスクが動かないままで、上側ディスクの全ての数表示が一巡したときに中間ディスクを駆動すべく、また、上側および中間ディスクが動かないままで、中間ディスクの全ての数表示が一巡したときに下側ディスクを駆動すべく、ディスク用に設けられたスター・ホイールと選択式に噛合するように配置される、という点で区別される。
【０００６】
本発明は、限定的でない例として与えられる２つの実施形態を示す図により、以下で詳細に説明される。
【図面の簡単な説明】
【０００７】
【図１】本発明の暦日機構が組み込まれた時計の平面図である。
【図２】本発明の第１の実施形態による暦日機構の分解斜視図である。
【図３】図２に示される機構の一部の分解斜視図である。
【図４】本発明による表示ディスクを支持するキャノン・ピニオン・スター・ホイールとの制御ムーブメントの噛合を示す斜視図である。
【図５】制御ムーブメントの３つの歯状領域の垂直投影図である。
【図６】月の２０日における、制御ムーブメント、および、表示ディスクを支持するキャノン・ピニオン・スター・ホイールの位置決めを示す図である。
【図７】月の２１日における、制御ムーブメント、および、表示ディスクを支持するキャノン・ピニオン・スター・ホイールの位置決めを示す図である。
【図８】安全デバイスが基本の機構に追加された、本発明の第２の実施形態による暦日機構の斜視図である。
【図９】月の２０日における、制御ムーブメント、表示ディスクを支持するキャノン・ピニオン・スター・ホイール、および、安全デバイスの位置決めを示す図である。
【図１０】月の２１日における、制御ムーブメント、表示ディスクを支持するキャノン・ピニオン・スター・ホイール、および、安全デバイスの位置決めを示す図である。
【発明を実施するための形態】
【０００８】
図１は、日８が、ダイアル２１内に開口された大開口部２０を通じて、正午のところに大きな寸法で示された時計の図である。本明細書が関係する暦日機構は、ダイアル２１の下に組み込まれる。
【０００９】
図２は、本発明の第１の実施形態による暦日機構の分解斜視図である。このラージデイト暦日機構は、順々に重ね合わせられる指示器を有する。指示器には、月の日の数表示の一部が、月の全３１日を一緒に示すべく添付される。これらの数表示は、図１に示されるように、ダイアル２１に開口された大開口部２０を通じて順に現れる。
【００１０】
本発明は、指示器が上側ディスク１、中間ディスク２、および、下側ディスク３を有するという点で区別される。図２にて明示されるように、上側ディスク１は、１１領域に分割される。そのうちの１０領域は、１から１０までの数表示４により占められ、また、１領域は、窓部５により占められる。窓部５を通じて、中間ディスク２の数表示６が目視され得る。中間ディスク２はまた１１領域に分割され、そのうちの１０は１１から２０までの数表示６により占められ、また、１領域は、窓部７により占められる。窓部７を通じて、下側ディスク３の数表示８が目視され得る。最後に、下側ディスク３が、同様に、１１領域に分割され、それらの全てが、２１から３１までの数表示８により占められる。
【００１１】
図２はまた、ディスク１、２および３の各々が、それぞれ参照符号９、１０および１１が付されたキャノン・ピニオンにより駆動されることを示す。各キャノン・ピニオン９、１０および１１は、参照符号１２、１３および１４が付されたスター・ホイールに一体的である。図３および４により明瞭に示されるように、キャノン・ピニオン９、１０および１１は、順々に自在に組み入れられている。
【００１２】
ここでは、キャノン・ピニオン９によるディスク１の引き込み回転が、キャノン・ピニオン９のいずれかの側に配置される切欠き部３０により実現され、これらの切欠き部３０がディスク１の中心に配置される開口孔３１に加工された面を受ける、ことに留意されたい。同様のことが、キャノン・ピニオン１０および１１に適用され、キャノン・ピニオン１０および１１は、それぞれ、ディスク２および３の中央開口孔３４および３５に加工された面に適合させられた切欠き部３２および３３を備えている。
【００１３】
図２は、以下でより詳細に説明される制御ムーブメント１５が、ディスク１、２および３用に設けられるスター・ホイール１２、１３および１４と選択式に噛合すべく配置される。このギアリングは、他の２つのディスク２および３が動かないままで、上側ディスク１を駆動すべく、その後、上側ディスク１および下側ディスク３が動かないままで、上側ディスク１の全ての数表示４が一巡したときに、中間ディスク２を駆動すべく、また、その後、上側１および中間ディスク２が動かないままで、中間ディスク２の全ての数表示が一巡したときに、下側ディスク３を駆動すべく実行される。
【００１４】
制御ムーブメント１５には、１日当たりに１ステップ進む暦日ホイール１６が取り付けられ、暦日ホイール１６は、１日当たり１ステップ進み、３１の歯を有し、それ自体知られた図面に示されていないある機構により制御される、ことがわかる。
【００１５】
図２、３および４に特に明瞭に見られるように、制御ムーブメント１５は、上側歯状領域１７、中間歯状領域１８および下側歯状領域１９を有する。それらの歯状領域は、暦日ホイール１６上で同軸上に取り付けられ、互いに同軸上に配置され、また、互いに対して角度に関しオフセットされる。これらの歯状領域は、下側ディスク３、中間ディスク２および上側ディスク１用に設けられるスター・ホイール１４、１３および１２と選択式に噛合すべく配置される。
【００１６】
より正確に言えば、上側歯状領域１７、中間歯状領域１８および下側歯状領域１９は各々１１の歯を有し、下側領域１９の歯には１から１１まで、中間領域１８の歯には１１から２１まで、上側領域１７の歯には２１から３１まで番号が付される。このことは、同じように製作された部品、すなわち、同じ製造の３つの歯状領域を提示するかかる構造物の意義を強調する。
【００１７】
３つの歯状領域が、平面図で、また、図５の垂直投影で示される。これは、３つのレベルを有する車２２から成る。下側領域１９の歯１１は、上側ディスク１の窓部５および中間ディスク２上に配置された暦日の数表示１１が大開口部２０において現れるように、中間領域１８の歯１１に重なる。更に、中間領域１８の歯２１は、中間ディスク２の窓部７および下側ディスク３上に配置された暦日の数表示２１が大開口部２０において現れるように、上側領域１７の歯２１に重なる。この日２０から日２１までの動作は、図６および７を参照して以下に検証される。最後に、上側領域１７の歯３１が、上側ディスク１上に配置される暦日の数表示１が大開口部２０において現れるように、下側領域１９の歯１に隣接する。
【００１８】
図６ａ、６ｂおよび６ｃは、本月の２０日における、制御ムーブメント１５およびキャノン・ピニオン・スター・ホイール１２、１３および１４の位置決めを示す。図６ａでは、スター・ホイール１４に接続された下側ディスク３が、大開口部２０と位置合わせされた数表示３１を有する。数表示３１は、それが中間ディスク２により隠されるので現れていない。図６ｂでは、スター・ホイール１２に接続された上側ディスク１が、大開口部２０と位置合わせされたその窓部５（図では、数字０によって表される）を有する。図６ｃでは、スター・ホイール１３に接続された中間ディスク２が、大開口部２０と位置合わせされた数表示２０を有し、この数表示２０は、上側ディスク１の窓部５を通じて現れる。
【００１９】
月の２０日における真夜中にて、制御ムーブメント１５は、矢印Ａにより示される方向に１ステップ進み、そのことが、下側ディスク３に接続されたスター・ホイール１４および中間ディスク２に接続されたスター・ホイール１３を、矢印Ｂの方向に１ステップ進ませる。上側ディスク１に接続されたスター・ホイール１２は、この駆動動作をもたらし得る歯状領域１９がスター・ホイール１２とは全く正反対に配置されるので、ムーブメント１５により駆動されない。
【００２０】
従って、本月の２１日にて、図７ａ、７ｂおよび７ｃは、制御ムーブメント１５およびキャノン・ピニオン・スター・ホイール１２、１３および１４の位置決めを示す。図７ａでは、スター・ホイール１４に接続された下側ディスク３が、大開口部２０と位置合わせされる数表示２１を有する。図７ｂでは、スター・ホイール１２に接続された上側ディスク１が、前述のように、大開口部２０と位置合わせされるその窓部５（図では、数字０によって表される）を有する。図７ｃでは、スター・ホイール１３に接続された中間ディスク２が、大開口部２０と位置合わせされるその窓部７（図では、数字０によって表される）を有する。従って、月の２１日において、日付は、それぞれディスク１および２における窓部５および７を通じて現れる下側ディスク３により表示される。
【００２１】
前述した大開口部２０は、図１に示される時計のダイアル２１に開口されたものである。図６および７の概略図では、大開口部２０が、制御ムーブメント１５の中心とスター・ホイール１２、１３および１４の中心とを繋ぐ線上に、また、前記ムーブメントおよび前記スター・ホイールの歯の噛合点に配置される。
【００２２】
図２、３および４は、それぞれスター・ホイール１２、１３および１４を備えたキャノン・ピニオン９、１０および１１が、順々に自在に組み入れられることを示している。その結果、制御ムーブメントにより駆動されるキャノン・ピニオンは、すなわち単純な摩擦により、動かないままであるはずの別のキャノン・ピニオンを駆動し得ることが考えられる。時計に加えられる衝撃の結果としてのキャノン・ピニオン・スター・ホイールの時機を失した、引き込み回転がまた懸念され得る。かかる異常は、時計を分解する必要のある時計メーカーによってただ補正され得る暦日の表示の調整不良を引き起こすことになる。これを回避すべく、スター・ホイール１２、１３および１４の各々には、その端部に２つの傾斜面を備えたスプリングから成る捕獲手段が取り付けられる。それらの傾斜面は、スター・ホイールの２つの連続した歯の点の間でそれを所定位置に保持するために支持される。この単純な解決法は、当業者の知識の範囲内にあるため、図中に示されていない。しかしながら、捕獲手段の使用の不利点は、エネルギーの消耗であり、それにより、時計が自律的である時間が減る。
【００２３】
前述した捕獲手段の使用を回避するために、本発明は、伝統的な捕獲手段によりもたらされるものよりもより大きな安全をも提供しつつほんの少しのエネルギーを要するのみの、キャノン・ピニオン・スター・ホイールをブロックするためのシステムを有する第２の実施形態を提案する。この第２の実施形態は、図８、９および１０を参照して説明される。
【００２４】
図８は、詳細に前述された暦日機構を保有している。制御ムーブメント１５は、更に、日ディスク１、２および３（図面では示されない）をそれぞれ駆動するキャノン・ピニオン・スター・ホイール１２、１３および１４と選択式に協働する。この第２の実施形態では、制御ムーブメント１５がブロック・ムーブメント４０を駆動する。ブロック・ムーブメント４０は、それらが静止状態であるべき場合に、ディスク１、２および３のいかなる偶発的な前進をも防止すべく配置される。
【００２５】
より具体的には、制御ムーブメント１５が、日ホイール１６の下に配置された第１の車４７を有する。第１の車４７は図８には現れないが、図９および１０では見てとられる。この第１の車４７は、ギヤ４８と係合させられる。ギヤ４８は、同じく、ブロック・ムーブメント４０に対して一体的な第２の車４９と噛合する。ギヤ比は、ブロック・ムーブメント４０が、制御ムーブメント１５と同様に１日当たりに１ステップ進むように選択される、ことに留意されたい。
【００２６】
図８は、ブロック・ムーブメント４０が、上側円筒領域４１、中間円筒領域４２および下側円筒領域４３を有することを示している。それらの円筒領域は、互いに同軸上に配置され、また、互いに対して角度に関しオフセットされる。上側円筒領域４１の側面部４４が、下側ディスク３用に設けられたスター・ホイール１４の歯の先端部により作られる軌道内に選択式に侵入するように構成される。同様に、中間円筒領域４２の側面部４５が、中間ディスク２用に設けられたスター・ホイール１３の歯の先端部により作られる軌道内に選択式に侵入するように構成される。最後に、下側円筒領域４３の側面部４６が、上側ディスク１用に設けられたスター・ホイール１２の歯の先端部により作られる軌道内に選択式に侵入するように構成される。
【００２７】
暦日２０から暦日２１までの動作が、図９および１０を参照して検証される。図９および１０は、２つの日付に関し、制御ムーブメント１５、ブロック・ムーブメント４０、および、キャノン・ピニオン・スター・ホイール１２、１３および１４の位置決めを示している。
【００２８】
図９ａ、９ｂおよび９ｃは、本月の２０日における状態を示している。図９ａでは、スター・ホイール１４に接続された下側ディスク３が、大開口部２０と位置合わせされた数表示３１を有する。数表示３１は、中間ディスク２により隠されるため現れない。ブロック・ムーブメント４０の円筒領域４１は、スター・ホイール１４が動かなくさせられるように位置決めされる（歯２３および２４）。図９ｂでは、スター・ホイール１２に接続された上側ディスク１が、大開口部と位置合わせされる窓部５（図では、数字０により表される）を有する。円筒領域４３は、スター・ホイール１２が動かなくさせられるように位置決めされる（歯３および４）。図９ｃでは、スター・ホイール１３に接続された中間ディスク２が、大開口部２０に位置合わせされた数表示２０を有し、この数表示２０が、上側ディスク１の窓部５を通じて現れる。円筒領域４２は、スター・ホイール１３が自在に動くように位置決めされる。
【００２９】
月の２０日における真夜中には、ギヤ４８により駆動されつつ、制御ムーブメント１５が、矢印Ａにより示される方向に１ステップ進み、また、ブロック・ムーブメント４０が、矢印Ｅの方向に１ステップ進む。下側ディスク３に接続されたスター・ホイール１４、および、中間ディスク２に接続されたスター・ホイール１３は、矢印Ｂの方向にＩステップ進む。上側ディスク１に接続されたスター・ホイール１２は、この前進動作をもたらし得る歯状領域１９がスター・ホイール１２とは全く正反対に配置されるので、ムーブメント１５により駆動されない。
【００３０】
図１０ａ、１０ｂおよび１０ｃは、本月の２１日における状態を示している。図１０ａでは、スター・ホイール１４に接続された下側ディスク３が、大開口部２０と位置合わせされた数表示２１を有する。反時計回りの方向に回転すると、円筒領域４１がスター・ホイール１３と係合解除され、このことが、円筒領域４１が月の３１日へのコースを進むことを可能にする。図１０ｂでは、前述の通り、スター・ホイール１２に接続された上側ディスク１が、大開口部と位置合わせされる窓部５（図では、数字０により表される）を有する。スター・ホイール１２は、なお、スター・ホイール１２の歯３および４の軌道をカットする円筒領域４３の側面部４６で遮られたままである。図１０ｃでは、スター・ホイール１３に接続された中間ディスク２が、大開口部２０と位置合わせされる窓部７（図では、数字０により表される）を有する。円筒領域４２によるスター・ホイール１３のブロックは、反時計回りの方向における回転により開始する。その結果、月の２１日においては、日付が、それぞれディスク１および２における窓部５および７を通じて現れる下側ディスク３により表示される。
【符号の説明】
【００３１】
１  上側ディスク；  ２  中間ディスク；  ３  下側ディスク；  
４、６、８  数表示；  ５、７  窓部；  ９、１０、１１  キャノン・ピニオン；  
１２、１３、１４  スター・ホイール；  １５  制御ムーブメント；  
１６  暦日ホイール；  １７  上側歯状領域；  １８  中間歯状領域；  
１９  下側歯状領域；  ２０  大開口部；  ２１  ダイアル；  ２２  車；  
３０、３２、３３  切欠き部；  ３１、３４、３５  開口孔；  
４０  ブロック・ムーブメント；  ４１  上側円筒領域；  
４２  中間円筒領域；  ４３  下側円筒領域；  
４４、４５、４６  側面部；  ４７  第１の車；  ４８  ギヤ。
【図１】
2010044072.tif 000003
【図２】
2010044072.tif 000004
【図３】
2010044072.tif 000005
【図４】
2010044072.tif 000006
【図５】
2010044072.tif 000007
【図６】
2010044072.tif 000008
【図７】
2010044072.tif 000009
【図８】
2010044072.tif 000010
【図９】
2010044072.tif 000011
【図１０】
2010044072.tif 000012